(57)【要約】【課題】不要なバスリセットが伝送されることを防止する。【解決手段】第１のドライバ６１は、第１の通信Ｉ／Ｆ５４とともに、第１の伝送路２４を介して伝送される信号を送受する。第２のドライバ６２は、第２の通信Ｉ／Ｆ５５とともに、第２の伝送路２６を介して伝送される信号を送受する。変換部６５は、第１のドライバ６１が受信した信号に対し、第２のドライバ６２が送信可能なように、信号の伝送方式を変換する。変換部６５は、遮断部６６と、置換部６７とを含み、遮断部６６は、第１のドライバ６１が伝送路を初期化する信号であるバスリセットを受信した場合、バスリセットを第２のドライバ６２に対して遮断する。【選択図】図４
2010257348.tif 000002
【特許請求の範囲】
【請求項１】
ＩＥＥＥ１３９４シリアルバスにより信号を伝送する第１の伝送手段と、
この第１の伝送手段が伝送する信号を第２の伝送方式の信号に変換する変換部と、
この変換部が変換した第２の伝送方式の信号を伝送する第２の伝送手段と、
を具備し、
前記変換部は、
前記第１の伝送手段が伝送するバスリセットを前記第２の伝送手段に対して遮断する遮断手段
を有する外部機器接続装置。
【請求項２】
前記変換部は、
前記第１の伝送手段が伝送するバスリセットを第２の伝送方式の他の信号に置換して変換する置換手段を
さらに有する請求項１記載の外部機器接続装置。
【請求項３】
ＩＥＥＥ１３９４シリアルバスにより伝送される信号を取得する信号取得手段と、
この信号取得手段が取得した信号を第２の伝送方式の信号に変換する変換部と、
この変換部が変換した第２の伝送方式の信号を送出する信号送出手段と、
を具備し、
前記変換部は、
前記信号取得手段が取得したバスリセットを前記信号送出手段が送出しないよう遮断する遮断手段
を有する信号変換装置。
【請求項４】
前記変換部は、
前記信号取得手段が取得したバスリセットを第２の伝送方式の他の信号に置換して変換する置換手段を
さらに有する請求項３記載の信号変換装置。
【請求項５】
複数の機器と、
前記複数の機器のいずれかが送出するＩＥＥＥ１３９４シリアルバスの信号を伝送する第１の伝送手段と、
この第１の伝送手段が伝送する信号を第２の伝送方式の信号に変換する変換手段と、
この変換手段が変換した第２の伝送方式の信号を伝送する第２の伝送手段と、
を具備し、
前記変換手段は、
前記第１の伝送手段が伝送するバスリセットを前記第２の伝送手段に対して遮断する遮断手段
を有するネットワークシステム。
【請求項６】
前記変換手段は、
前記第１の伝送手段が伝送するバスリセットを第２の伝送方式の他の信号に置換して変換する置換手段を
さらに有する請求項５記載のネットワークシステム。
【請求項７】
前記複数の機器は一連の処理を行う１つ以上の連続システムを前記第１の伝送手段及び前記第２の伝送手段とともに構成し、
前記連続システムに関する情報を記憶する記憶手段と、
前記第１の伝送手段がバスリセットを伝送した場合、前記記憶手段が記憶する情報に基づいて、バスリセットを伝送した前記第１の伝送手段を含む前記連続システムを停止させるよう制御する制御手段と、
をさらに有する請求項６記載のネットワークシステム。
【請求項８】
１つ以上の印刷機と、
この印刷機に関連する処理を行う１つ以上の処理装置と、
前記印刷機のいずれかが送出するＩＥＥＥ１３９４シリアルバスの信号を伝送する第１の伝送手段と、
この第１の伝送手段が伝送する信号を第２の伝送方式の信号に変換する変換手段と、
この変換手段が変換した第２の伝送方式の信号を伝送する第２の伝送手段と、
を具備し、
前記変換手段は、
前記第１の伝送手段が伝送するバスリセットを前記第２の伝送手段に対して遮断する遮断手段
を有する印刷システム。
【請求項９】
前記変換手段は、
前記第１の伝送手段が伝送するバスリセットを第２の伝送方式の他の信号に置換して変換する置換手段を
さらに有する請求項８記載の印刷システム。
【請求項１０】
少なくとも前記印刷機及び前記処理装置のいずれかは一連の処理を行う１つ以上の連続システムを前記第１の伝送手段及び前記第２の伝送手段とともに構成し、
前記連続システムに関する情報を記憶する記憶手段と、
前記第１の伝送手段がバスリセットを伝送した場合、前記記憶手段が記憶する情報に基づいて、バスリセットを伝送した前記第１の伝送手段を含む前記連続システムを停止させるよう制御する制御手段と、
をさらに有する請求項８記載の印刷システム。
【請求項１１】
ＩＥＥＥ１３９４シリアルバスにより伝送される信号を取得するステップと、
取得した信号がバスリセットである場合、取得した信号を送出しないよう遮断するステップと、
取得した信号がバスリセットでない場合、取得した信号を第２の伝送方式の信号に変換するステップと、
変換した第２の伝送方式の信号を送出するステップと、
をコンピュータに実行させる接続制御プログラム。
【請求項１２】
ＩＥＥＥ１３９４シリアルバスにより伝送される信号を取得するステップと、
取得した信号がバスリセットである場合、取得した信号を送出しないよう遮断するとともに、取得した信号を第２の伝送方式の他の信号に置換して変換するステップと、
取得した信号がバスリセットでない場合、取得した信号を第２の伝送方式の信号に変換するステップと、
変換した第２の伝送方式の信号を送出するステップと、
をコンピュータに実行させる接続制御プログラム。
【発明の詳細な説明】
【技術分野】
【０００１】
本発明は、外部機器接続装置、信号変換装置、ネットワークシステム、印刷システム及び接続制御プログラムに関するものである。
【背景技術】
【０００２】
特許文献１は、複数の電気デバイスから、要求されたデータ処理を実行するのに必要な複数のデバイスを特定し、特定されたデバイスは複数の電気デバイスのセグメントを構成し、セグメントを構成する特定されたデバイスにセグメント識別子を割り当て、セグメント識別子が割り当てられた電気デバイスのアダプタを、セグメント化されたデバイスの各デバイスが共通のデータバスから各デバイスに向けて送信されたデータをフィルタにかけることができるよう構成するデータ処理方法を開示する。また、特許文献２は、プリントラインバスが立ち上がり、必要なプリントラインセグメントが選択されると、プリントライン管理ユニットがユーザの選択を分析し、プリントラインにおける印刷ジョブを実行するのに必要なデバイスを決定するセグメント化方式を開示する。
【先行技術文献】
【特許文献】
【０００３】
【特許文献１】特開２００３−１４０８４８号公報
【特許文献２】米国特許出願公開第２００３／００４８４７２号明細書
【発明の概要】
【発明が解決しようとする課題】
【０００４】
本発明は、不要なバスリセットが伝送されることを防止することができる外部機器接続装置、信号変換装置、ネットワークシステム、印刷システム及び接続制御プログラムを提供することを目的とする。
【課題を解決するための手段】
【０００５】
上記目的を達成するため、請求項１に係る本発明は、ＩＥＥＥ１３９４シリアルバスにより信号を伝送する第１の伝送手段と、この第１の伝送手段が伝送する信号を第２の伝送方式の信号に変換する変換部と、この変換部が変換した第２の伝送方式の信号を伝送する第２の伝送手段と、を具備し、前記変換部は、前記第１の伝送手段が伝送するバスリセットを前記第２の伝送手段に対して遮断する遮断手段を有する外部機器接続装置である。
【０００６】
請求項２に係る本発明は、前記変換部が、前記第１の伝送手段が伝送するバスリセットを第２の伝送方式の他の信号に置換して変換する置換手段をさらに有する請求項１記載の外部機器接続装置である。
【０００７】
請求項３に係る本発明は、ＩＥＥＥ１３９４シリアルバスにより伝送される信号を取得する信号取得手段と、この信号取得手段が取得した信号を第２の伝送方式の信号に変換する変換部と、この変換部が変換した第２の伝送方式の信号を送出する信号送出手段と、を具備し、前記変換部は、前記信号取得手段が取得したバスリセットを前記信号送出手段が送出しないよう遮断する遮断手段を有する信号変換装置である。
【０００８】
請求項４に係る本発明は、前記変換部が、前記信号取得手段が取得したバスリセットを第２の伝送方式の他の信号に置換して変換する置換手段をさらに有する請求項３記載の信号変換装置である。
【０００９】
請求項５に係る本発明は、複数の機器と、前記複数の機器のいずれかが送出するＩＥＥＥ１３９４シリアルバスの信号を伝送する第１の伝送手段と、この第１の伝送手段が伝送する信号を第２の伝送方式の信号に変換する変換手段と、この変換手段が変換した第２の伝送方式の信号を伝送する第２の伝送手段と、を具備し、前記変換手段は、前記第１の伝送手段が伝送するバスリセットを前記第２の伝送手段に対して遮断する遮断手段を有するネットワークシステムである。
【００１０】
請求項６に係る本発明は、前記変換手段が、前記第１の伝送手段が伝送するバスリセットを第２の伝送方式の他の信号に置換して変換する置換手段をさらに有する請求項５記載のネットワークシステムである。
【００１１】
請求項７に係る本発明は、前記複数の機器が一連の処理を行う１つ以上の連続システムを前記第１の伝送手段及び前記第２の伝送手段とともに構成し、前記連続システムに関する情報を記憶する記憶手段と、前記第１の伝送手段がバスリセットを伝送した場合、前記記憶手段が記憶する情報に基づいて、バスリセットを伝送した前記第１の伝送手段を含む前記連続システムを停止させるよう制御する制御手段と、をさらに有する請求項６記載のネットワークシステムである。
【００１２】
請求項８に係る本発明は、１つ以上の印刷機と、この印刷機に関連する処理を行う１つ以上の処理装置と、前記印刷機のいずれかが送出するＩＥＥＥ１３９４シリアルバスの信号を伝送する第１の伝送手段と、この第１の伝送手段が伝送する信号を第２の伝送方式の信号に変換する変換手段と、この変換手段が変換した第２の伝送方式の信号を伝送する第２の伝送手段と、を具備し、前記変換手段は、前記第１の伝送手段が伝送するバスリセットを前記第２の伝送手段に対して遮断する遮断手段を有する印刷システムである。
【００１３】
請求項９に係る本発明は、前記変換手段が、前記第１の伝送手段が伝送するバスリセットを第２の伝送方式の他の信号に置換して変換する置換手段をさらに有する請求項８記載の印刷システムである。
【００１４】
請求項１０に係る本発明は、少なくとも前記印刷機及び前記処理装置のいずれかが一連の処理を行う１つ以上の連続システムを前記第１の伝送手段及び前記第２の伝送手段とともに構成し、前記連続システムに関する情報を記憶する記憶手段と、前記第１の伝送手段がバスリセットを伝送した場合、前記記憶手段が記憶する情報に基づいて、バスリセットを伝送した前記第１の伝送手段を含む前記連続システムを停止させるよう制御する制御手段と、をさらに有する請求項８記載の印刷システムである。
【００１５】
請求項１１に係る本発明は、ＩＥＥＥ１３９４シリアルバスにより伝送される信号を取得するステップと、取得した信号がバスリセットである場合、取得した信号を送出しないよう遮断するステップと、取得した信号がバスリセットでない場合、取得した信号を第２の伝送方式の信号に変換するステップと、変換した第２の伝送方式の信号を送出するステップと、をコンピュータに実行させる接続制御プログラムである。
【００１６】
請求項１２に係る本発明は、ＩＥＥＥ１３９４シリアルバスにより伝送される信号を取得するステップと、取得した信号がバスリセットである場合、取得した信号を送出しないよう遮断するとともに、取得した信号を第２の伝送方式の他の信号に置換して変換するステップと、取得した信号がバスリセットでない場合、取得した信号を第２の伝送方式の信号に変換するステップと、変換した第２の伝送方式の信号を送出するステップと、をコンピュータに実行させる接続制御プログラムである。
【発明の効果】
【００１７】
請求項１に係る本発明によれば、不要なバスリセットが伝送されることを防止することができる。
【００１８】
請求項２に係る本発明によれば、不要なバスリセットを伝送することなく、バスリセットが伝送されたことを他の信号により伝送することができる。
【００１９】
請求項３に係る本発明によれば、不要なバスリセットが伝送されることを防止することができる。
【００２０】
請求項４に係る本発明によれば、不要なバスリセットを伝送することなく、バスリセットが伝送されたことを他の信号により伝送することができる。
【００２１】
請求項５に係る本発明によれば、不要なバスリセットが伝送されることを防止することができる。
【００２２】
請求項６に係る本発明によれば、不要なバスリセットを伝送することなく、バスリセットが伝送されたことを他の信号により伝送することができる。
【００２３】
請求項７に係る本発明によれば、不要なバスリセットを伝送することなく、バスリセットを伝送した第１の伝送手段を含む連続システムを停止させることができる。
【００２４】
請求項８に係る本発明によれば、不要なバスリセットが伝送されることを防止することができる。
【００２５】
請求項９に係る本発明によれば、不要なバスリセットを伝送することなく、バスリセットが伝送されたことを他の信号により伝送することができる。
【００２６】
請求項１０に係る本発明によれば、不要なバスリセットを伝送することなく、バスリセットを伝送した第１の伝送手段を含む連続システムを停止させることができる。
【００２７】
請求項１１に係る本発明によれば、不要なバスリセットが伝送されることを防止することができる。
【００２８】
請求項１２に係る本発明によれば、不要なバスリセットを伝送することなく、バスリセットが伝送されたことを他の信号により伝送することができる。
【図面の簡単な説明】
【００２９】
【図１】本発明の実施形態に係る印刷システムの構成を示す構成図である。
【図２】信号変換装置の外観を示す上面図である。
【図３】信号変換装置のハードウェア構成を示すブロック図である。
【図４】信号変換装置が有する接続制御プログラムの構成を示すプログラム構成図である。
【図５】信号変換装置及び情報管理装置の起動時の動作例（Ｓ１０）を示すフローチャートである。
【図６】図５に示した起動時の動作後に、信号変換装置が行う動作の一例（Ｓ２０）を示すフローチャートである。
【図７】印刷機のハードウェア構成を示すブロック図である。
【図８】印刷システムの動作の一例（Ｓ３０）を示すフローチャートである。
【発明を実施するための形態】
【００３０】
次に本発明の実施形態を図面に基づいて説明する。
図１において、本発明の実施形態に係る印刷システム１０が例示されている。印刷システム１０は、例えば前処理装置１２−１，１２−２、印刷機１４−１〜１４−３、後処理装置１６−１，１６−２、信号変換装置１８−１〜１８−７、情報管理装置２０及び電源装置２２を有する。
以下、印刷機１４−１〜１４−３など複数ある構成部分のいずれかを特定せずに示す場合には、単に「印刷機１４」などと略記することがある。
【００３１】
前処理装置１２−１，１２−２は、例えば印刷されていないロール紙（連帳紙）を印刷機１４−１，１４−２に対してそれぞれ供給する給紙装置であり、後述する第３の伝送路２８を介して信号を送受可能にされている。印刷機１４−１，１４−２は、例えばロール紙の表側に白黒画像を印刷する印刷装置であり、後述する第１の伝送路２４を介して信号を送受可能にされるとともに、第４の伝送路３０を介して例えばトポロジーがデイジーチェーンとなるネットワークを構成する。また、印刷機１４−３は、例えばロール紙の裏側に白黒画像を印刷する。なお、印刷機１４−３は、印刷機１４−１，１４−２とともに例えばトポロジーがデイジーチェーンとなるネットワークを構成している。印刷機１４−１〜１４−３は、カラー画像を形成する印刷装置であってもよい。後処理装置１６−１，１６−２は、例えば印刷をされたロール紙を巻き取ることにより収納するスタック装置であり、後述する第３の伝送路２８を介して信号を送受可能にされている。
【００３２】
信号変換装置１８−１〜１８−７は、図２乃至図４等を用いて後述するように、異なる伝送方式により信号を伝送する複数の伝送路（バス）間で信号が伝送されるように信号を変換するインターフェイス変換装置である。
【００３３】
例えば、信号変換装置１８−２，１８−５，１８−６は、第１の伝送路２４−１〜２４−３を介して印刷機１４−１〜１４−３にそれぞれ接続されている。なお、第１の伝送路２４−１〜２４−３は、例えばＩＥＥＥ（Institute of Electrical and Electronics Engineers）により定められたＩＥＥＥ１３９４（第１の伝送方式）の規格に対応して信号を伝送するケーブルであり、２組のツイストペア線（４ピン）からなる。
【００３４】
信号変換装置１８−１〜１８−７は、例えば第２の伝送路２６−１〜２６−６により接続され、トポロジーがデイジーチェーンとなるネットワークを構成する。なお、第２の伝送路２６−１〜２６−７は、例えばＣＡＮ（Controller Area Network：第２の伝送方式）の規格に対応して信号を伝送するケーブルである。
【００３５】
また、信号変換装置１８−１，１８−４は、例えば第３の伝送路２８−１，２８−３を介して前処理装置１２−１，１２−２にそれぞれ接続されている。信号変換装置１８−３，１８−７は、例えば第３の伝送路２８−２，２８−４を介して後処理装置１６−１，１６−２にそれぞれ接続されている。なお、第３の伝送路２８−１〜２８−４は、例えば信号変換装置１８と、前処理装置１２又は後処理装置１６とを接続するために定められた固有の伝送方式（第３の伝送方式）に対応して信号を伝送するケーブルである。
【００３６】
情報管理装置２０は、例えば信号変換装置１８（図２乃至図４等参照）と同一の構成を有し、第２の伝送路２６−７を介して信号変換装置１８−１に接続され、印刷システム１０を構成する各部を管理する。例えば、前処理装置１２−１，１２−２、印刷機１４−１〜１４−３、後処理装置１６−１，１６−２及び信号変換装置１８−１〜１８−７には、それぞれ固有の識別情報（ＩＤ情報）が設定されており、情報管理装置２０は、印刷システム１０を構成する各部のＩＤ情報を、信号変換装置１８−１〜１８−７を介して取得して記憶する。また、情報管理装置２０は、各ＩＤ情報を用いて、後述する印刷装置３２−１，３２−２をそれぞれ独立した連続システムとして区別して管理するとともに、印刷装置３２−１，３２−２それぞれの動作順序（シーケンス）を管理する。
【００３７】
情報管理装置２０及び信号変換装置１８−１〜１８−７は、第２の伝送路２６−１〜２６−７により接続されたトポロジーがデイジーチェーンとなるネットワークを構成している。また、情報管理装置２０は、電源装置２２が接続されており、電源装置２２が出力する電力を受け入れている。
【００３８】
さらに、情報管理装置２０は第４の伝送路３０−１を介して印刷機１４−１に接続され、印刷機１４−１は第４の伝送路３０−２を介して印刷機１４−２に接続され、印刷機１４−２は第４の伝送路３０−３を介して印刷機１４−３に接続されている。なお、第４の伝送路３０−１〜３０−３は、例えばＬＡＮ（Local Area Network：第４の伝送方式）の規格に対応して信号を伝送するケーブルである。
【００３９】
印刷システム１０は、例えば２つの独立した一連の印刷を行う連続システムである印刷装置３２−１，３２−２を構成するように設定されており、情報管理装置２０に管理されて動作する。
例えば、印刷装置３２−１は、前処理装置１２−２が供給するロール紙に対し、印刷機１４−２が表面の印刷を行い、印刷機１４−３が裏面の印刷を行い、両面に印刷をされたロール紙を後処理装置１６−２が巻き取るように動作するシーケンスが設定されている。また、印刷装置３２−２は、例えば前処理装置１２−１が供給するロール紙に対し、印刷機１４−１が表面の印刷を行い、表面に印刷をされたロール紙を後処理装置１６−１が巻き取るように動作するシーケンスが設定されている。
なお、印刷システム１０内に構成される連続システムは、任意に再構成可能にされている。
【００４０】
次に、信号変換装置１８−１〜１８−７（情報管理装置２０）について詳述する。
図２は、信号変換装置１８の外観を示す上面図である。
図３は、信号変換装置１８のハードウェア構成を示すブロック図である。
図４は、信号変換装置１８が有する接続制御プログラム６０の構成を示すプログラム構成図である。
なお、情報管理装置２０は、上述したように信号変換装置１８と同一の構成を有する。
【００４１】
図２に示すように、信号変換装置１８は、信号変換装置本体４０と、この信号変換装置本体４０の外面に設けられた第１の接続部４２−１，４２−２、第２の接続部４４−１，４４−２、第３の接続部４６、第４の接続部４８及び電源接続部４９とを有する。
【００４２】
第１の接続部４２−１，４２−２は、それぞれ第１の伝送路２４を接続可能にされたコネクタである。第２の接続部４４−１，４４−２は、それぞれ第２の伝送路２６を接続可能にされたコネクタである。第３の接続部４６は、第３の伝送路２８を接続可能にされたコネクタである。第４の接続部４８は、第４の伝送路３０を接続可能にされたコネクタである。電源接続部４９は、電源装置２２を接続可能にするために設けられたコネクタである。
【００４３】
また、図３に示すように、信号変換装置１８は、ＣＰＵ５０、記憶部５２、第１の通信インターフェイス（Ｉ／Ｆ）５４−１，５４−２、第２の通信インターフェイス（Ｉ／Ｆ）５５−１，５５−２、第３の通信インターフェイス（Ｉ／Ｆ）５６及び第４の通信インターフェイス（Ｉ／Ｆ）５７を有し、各部が制御バス５８を介して相互に接続されている。
【００４４】
ＣＰＵ５０は、後述する接続制御プログラム６０を実行し、信号変換装置１８を構成する各部を制御する。記憶部５２は、図４を用いて後述する接続制御プログラム６０及び各種のデータなどを記憶するメモリを含む。
【００４５】
第１の通信Ｉ／Ｆ５４は、第１の伝送路２４が第１の接続部４２に接続されて、第１の伝送路２４を介して伝送される信号を送受するための接続ハードウェアである。第２の通信Ｉ／Ｆ５５は、第２の伝送路２６が第２の接続部４４に接続されて、第２の伝送路２６を介して伝送される信号を送受するための接続ハードウェアである。第３の通信Ｉ／Ｆ５６は、第３の伝送路２８が第３の接続部４６に接続されて、第３の伝送路２８を介して伝送される信号を送受するための接続ハードウェアである。第４の通信Ｉ／Ｆ５７は、第４の伝送路３０が第４の接続部４８に接続されて、第４の伝送路３０を介して伝送される信号を送受するための接続ハードウェアである。
【００４６】
図４に示すように、接続制御プログラム６０は、第１のドライバ６１−１，６１−２、第２のドライバ６２−１，６２−２、第３のドライバ６３、第４のドライバ６４及び変換部６５から構成される。
【００４７】
第１のドライバ６１は、ＣＰＵ５０の制御により、第１の通信Ｉ／Ｆ５４とともに、第１の伝送路２４を介して伝送される信号を送受（取得及び送出）する。第２のドライバ６２は、ＣＰＵ５０の制御により、第２の通信Ｉ／Ｆ５５とともに、第２の伝送路２６を介して伝送される信号を送受する。第３のドライバ６３は、ＣＰＵ５０の制御により、第３の通信Ｉ／Ｆ５６とともに、第３の伝送路２８を介して伝送される信号を送受する。第４のドライバ６４は、ＣＰＵ５０の制御により、第４の通信Ｉ／Ｆ５７とともに、第４の伝送路３０を介して伝送される信号を送受する。
【００４８】
変換部６５は、第１のドライバ６１、第２のドライバ６２、第３のドライバ６３及び第４のドライバ６４のいずれかが受信（取得）した信号に対し、信号を受信していない第１のドライバ６１、第２のドライバ６２、第３のドライバ６３及び第４のドライバ６４が送信（送出）可能なように、信号の伝送方式を変換する。つまり、変換部６５は、異なる伝送方式により信号を伝送する複数の伝送路（バス）間に設けられ、複数の伝送路間で信号が伝送されるように信号を相互変換（信号の方式相互変換）する変換ソフトウェアである。
【００４９】
また、変換部６５は、遮断部６６と、置換部６７とを含むように構成されている。遮断部６６は、第１のドライバ６１が伝送路を初期化する信号であるバスリセットを受信した場合、バスリセットを第２のドライバ６２、第３のドライバ６３及び第４のドライバ６４に対して遮断する。つまり、遮断部６６は、第１の伝送路２４を介して伝送されたバスリセットを第２の伝送路２６、第３の伝送路２８及び第４の伝送路３０に対して遮断する。また、置換部６７は、第１のドライバ６１がバスリセットを受信した場合、バスリセットを例えば電源断信号（電源が断たれたことを示す信号）に置換し、置換した信号を第２のドライバ６２、第３のドライバ６３及び第４のドライバ６４に対して送出する。
なお、変換部６５は、遮断部６６を含まず、置換部６７がバスリセットをバスリセット以外の信号に置換するように構成されていてもよい。
【００５０】
図５は、信号変換装置１８−１〜１８−７及び情報管理装置２０の起動時の動作例（Ｓ１０）を示すフローチャートである。
図５に示すように、ステップ１００（Ｓ１００）において、信号変換装置１８−１〜１８−７及び情報管理装置２０に電源が投入されると、情報管理装置２０は、信号変換装置１８−１〜１８−７を介し、印刷システム１０を構成する各部のＩＤ情報と、各連続システムごとの各部のＩＤ情報及び連続システムを特定する情報（例えば印刷装置番号などの特定情報）とを構成情報として取得する。即ち、情報管理装置２０は、印刷装置ごとに、印刷装置を構成するＩＤ情報と印刷装置を特定する特定情報とを構成情報として記憶する。
なお、Ｓ１００の処理は、連続システムが再構成されている場合には、構成情報を更新する動作となる。
【００５１】
ステップ１０２（Ｓ１０２）において、情報管理装置２０は、Ｓ１００の処理で取得した構成情報を信号変換装置１８−１〜１８−７に転送する。
つまり、情報管理装置２０及び信号変換装置１８−１〜１８−７は、それぞれ上述した構成情報を記憶するようにされている。
【００５２】
図６は、図５に示した起動時の動作後に、信号変換装置１８が行う動作の一例（Ｓ２０）を示すフローチャートである。
なお、図６に示した動作は、第１の伝送路２４を介して伝送される第１の伝送方式の信号を、信号変換装置１８が第２の伝送路２６に対して第２の伝送方式の信号として送出する場合を例にしている。
【００５３】
ステップ２００（Ｓ２００）において、信号変換装置１８は、第１の伝送路２４を介して第１の伝送方式の信号を取得する。
【００５４】
ステップ２０２（Ｓ２０２）において、信号変換装置１８は、Ｓ２００の処理で取得した信号がバスリセットであるか否かを判定し、バスリセットでない場合にはＳ２０４の処理に進み、バスリセットである場合にはＳ２０６の処理に進む。
【００５５】
ステップ２０４（Ｓ２０４）において、信号変換装置１８は、Ｓ２００の処理で取得した信号を第２の伝送方式の信号に変換する。
【００５６】
ステップ２０６（Ｓ２０６）において、信号変換装置１８は、第１の伝送方式のバスリセットを第２の伝送路２６に対して遮断するとともに、第１の伝送方式のバスリセットを第２の伝送方式の例えば電源断信号に置換する。つまり、信号変換装置１８は、伝送方式の変換を伴う置換を行う。
【００５７】
ステップ２０８（Ｓ２０８）において、信号変換装置１８は、第２の伝送方式の信号を第２の伝送路２６に対して送出する。
【００５８】
図７は、印刷機１４のハードウェア構成を示すブロック図である。
なお、図７に示した印刷機１４において、図３に示した信号変換装置１８を構成する部分と実質的に同一のものには、同一の符号が付してある。
【００５９】
印刷機１４は、ＣＰＵ７０、メモリ７１、記憶装置７２、ＵＩ（ユーザインターフェイス）装置７３、画像形成部７４、第１の通信Ｉ／Ｆ５４及び第４の通信Ｉ／Ｆ５７を有し、印刷機１４を構成する各部が制御バス７５を介して接続されている。ＣＰＵ７０は、メモリ７１または記憶装置７２に格納されたプログラムに応じて予め定めた処理を実行し、印刷機１４を構成する各部を制御する。なお、メモリ７１は、第１のドライバ６１及び第４のドライバ６４（ともに図示せず：図４参照）を記憶している。記憶装置７２は、ハードディスクドライブ（ＨＤＤ）などを含み、例えばＣＤ−ＲＯＭ等の記憶媒体７６などを介して供給される情報を記憶する。ＵＩ装置７３は、例えばタッチパネルなどからなり、作業者による指示入力などを受け入れるとともに、印刷機１４に関する情報を表示する。画像形成部７４は、例えばロール紙の表面又は裏面に画像を形成する。
なお、印刷システム１０において用いられるプログラムはいずれも、記憶媒体７６を介して提供されてもよいし、ネットワークを介して提供されてもよい。
【００６０】
次に、印刷システム１０（図１）の動作例について説明する。
図８は、印刷システム１０の動作の一例（Ｓ３０）を示すフローチャートである。
【００６１】
ステップ３００（Ｓ３００）において、例えば印刷装置３２−１，３２−２は、それぞれ印刷処理を行う。
【００６２】
ステップ３０２（Ｓ３０２）において、印刷機１４−１，１４−３は、印刷装置３２−１，３２−２における印刷が終了したか否かをそれぞれ判定し、印刷が終了していない場合にはＳ３０４の処理に進み、印刷が終了した場合には処理を終了する。
【００６３】
ステップ３０４（Ｓ３０４）において、信号変換装置１８−２，１８−５，１８−６は、それぞれ第１の伝送路２４−１〜２４−３にバスリセットが送出されたか否か（バスリセットを取得したか否か）を判定し、バスリセットが送出されていない場合にはＳ３００の処理に進み、バスリセットが送出された場合にはＳ３０６の処理に進む。
【００６４】
ステップ３０６（Ｓ３０６）において、バスリセットを取得した信号変換装置１８は、バスリセットを第２の伝送路２６に対して遮断する。
【００６５】
ステップ３０８（Ｓ３０８）において、バスリセットを取得した信号変換装置１８は、バスリセットを第２の伝送方式の電源断信号に置換する。
【００６６】
ステップ３１０（Ｓ３１０）において、バスリセットを取得した信号変換装置１８は、例えば当該信号変換装置１８が属する印刷装置を特定する情報（例えば印刷装置番号などの特定情報）と電源断信号とを、信号変換装置１８−１〜１８−７及び情報管理装置２０に対し、第２の伝送路２６を介して転送（ブロードキャスト送信）する。
【００６７】
ステップ３１２（Ｓ３１２）において、信号変換装置１８−１〜１８−７は、Ｓ３１０の処理で送信された特定情報を用いて、バスリセットを取得した信号変換装置１８と同じ印刷装置に属するか否かをそれぞれ判定し、異なる印刷装置に属する場合にはＳ３００の処理に進み、同じ印刷装置に属する場合にはＳ３１４の処理に進む。
【００６８】
ステップ３１４（Ｓ３１４）において、バスリセットを取得した信号変換装置１８と同じ印刷装置に属する各信号変換装置１８は、接続されている前処理装置１２、印刷機１４又は後処理装置１６に対し、停止すべき旨を示す信号又は停止させる信号をそれぞれ送出することにより、バスリセットを取得した信号変換装置１８が属する印刷装置に含まれる前処理装置１２、印刷機１４及び後処理装置１６を予め定めた順序（手順）で停止させるよう制御する。
【００６９】
つまり、印刷システム１０は、例えば印刷装置３２−１，３２−２がそれぞれ印刷を行っている場合に、印刷装置３２−１，３２−２のいずれかの第１の伝送路２４に接続された信号変換装置１８がバスリセットを取得すると、バスリセットを取得した信号変換装置１８が属する印刷装置３２が予め定めた順序で停止し、バスリセットを取得した信号変換装置１８が属さない印刷装置３２が印刷を継続するようにされている。
【符号の説明】
【００７０】
１０    印刷システム
１２−１，１２−２    前処理装置
１４−１〜１４−３    印刷機
１６−１，１６−２    後処理装置
１８−１〜１８−７    信号変換装置
２０    情報管理装置
２２    電源装置
２４−１〜２４−３    第１の伝送路
２６−１〜２６−６    第２の伝送路
２８−１〜２８−４    第３の伝送路
３０−１〜３０−３    第４の伝送路
３２−１，３２−２    印刷装置
４０    信号変換装置本体
４２−１，４２−２    第１の接続部
４４−１，４４−２    第２の接続部
４６    第３の接続部
４８    第４の接続部
５０    ＣＰＵ
５２    記憶部
５４−１，５４−２    第１の通信Ｉ／Ｆ
５５−１，５５−２    第２の通信Ｉ／Ｆ
５６    第３の通信Ｉ／Ｆ
５７    第４の通信Ｉ／Ｆ
６０    接続制御プログラム
６１−１，６１−２    第１のドライバ
６２−１，６２−２    第２のドライバ
６３    第３のドライバ
６４    第４のドライバ
６５    変換部
６６    遮断部
６７    置換部
【図１】
2010257348.tif 000003
【図２】
2010257348.tif 000004
【図３】
2010257348.tif 000005
【図４】
2010257348.tif 000006
【図５】
2010257348.tif 000007
【図６】
2010257348.tif 000008
【図７】
2010257348.tif 000009
【図８】
2010257348.tif 000010